(57)【要約】  【課題】情報読み込み時のジッタやディスクの傷、汚れ等により読取りエラーが多い場合にも、ディスクが未記録か否かを確実に判断することができるディスク再生装置を提供する。  【解決手段】電源の投入時、あるいはディスクの挿入時に、ＣＬＶ制御回路とＰＬＬ回路のゲインを下げた状態でＵＴＯＣ領域のクラスタ３のデータを読み、目録情報を正常に読み取れたか否かを判定する（ステップ101）。目録情報が読み取れた場合には、記録済ディスクであると判断する（ステップ102）。読み取れなかった場合、ＣＬＶ制御回路のゲインやＰＬＬ回路のゲインを増加した後、クラスタ３のデータを読み、読取り条件を変えても目録情報が読み取れなかった場合、同様にしてクラスタ４、５のデータを読み、目録情報が読み取れなかった場合には、「未記録ディスク」と判断する（ステップ119）。  【選択図】図２
2005317140.tif 000002
【特許請求の範囲】
【請求項１】
ディスクからの情報を再生するための信号を検出する信号検出手段と、上記信号検出手段により検出された信号を処理する制御手段とを備え、上記制御手段がディスクのＵＴＯＣ領域に記録された情報を読み出すことによりディスクが未記録か否かを判別するディスク再生装置であって、
ディスクの記録有無の判断時に、上記ＵＴＯＣ領域に記録された情報を読み出せないとき、上記制御手段が情報の読取り条件を変更することを特徴とするディスク再生装置。
【請求項２】
請求項１に記載のディスク再生装置において、
上記ディスクの読取りトラックを一定線速度で走行させる線速度制御手段を備え、
上記ＵＴＯＣ領域に記録された情報を読み出せないとき、上記制御手段が情報の読取り条件として上記線速度制御手段のゲインを変更することを特徴とするディスク再生装置。
【請求項３】
請求項１に記載のディスク再生装置において、
上記信号検出手段が位相同期ループ手段を備え、
上記ＵＴＯＣ領域に記録された情報を読み出せないとき、上記制御手段が情報の読取り条件として上記位相同期ループ手段のゲインを変更することを特徴とするディスク再生装置。
【請求項４】
請求項１に記載のディスク再生装置において、
情報の読取り条件を変更してもディスクのＵＴＯＣ領域に記録された情報を読み出せないとき、上記制御手段がＵＴＯＣ領域の他のクラスタに記録された情報を読むことを特徴とするディスク再生装置。
【発明の詳細な説明】
【技術分野】
【０００１】
本発明は、ＭＤ（ミニディスク）等のディスクを再生するディスク再生装置に関し、特に、ディスクが未記録か否かを判定する機能を備えたディスク再生装置に関する。
【背景技術】
【０００２】
ＭＤは、曲や英会話等の１まとまりの音声情報を１トラックに割当てて録音されるとともに、各トラックの管理情報がＵＴＯＣ（User’s  Table  Of  Contents）エリアに書き込まれるようになっている。
図３はＭＤの記憶領域を示す図であり、図に示すように、内周から外周に向けてＴＯＣ領域、ＵＴＯＣ領域、プログラム領域、リードアウト領域の順に配置され、最内周のＴＯＣ領域は再生専用の領域であり、ＵＴＯＣ領域、プログラム領域、リードアウト領域の各々の開始アドレスや推奨する記録レーザーパワー値等の記録を行うために必要な情報があらかじめ記録されている。
【０００３】
ＵＴＯＣ領域には、プログラム領域に記録される情報の開始及び終了アドレス、情報の楽曲名等の目録情報が記録され、プログラム領域への情報の記録後、あるいは消去等の編集がされる毎に書き換えられる。プログラム領域には、例えば圧縮処理が施されたオーディオ信号等の情報が記録され、最外周のリードアウト領域はＭＤの終端を示す領域であり、情報は記録されない。ＵＴＯＣ領域、プログラム領域、リードアウト領域にはあらかじめ蛇行した案内溝が形成されており、ＭＤに記録を行うために必要な絶対アドレスが付与されている。
【０００４】
また、ＵＴＯＣ領域は、図４に示すように、４８クラスタで構成され、目録情報は０３、０４、０５クラスタアドレスの３クラスタのみに記録される。０２クラスタアドレスは最適パワーを実際に記録再生して求めるときに使用するＰＣＡ（Power  Calibration  Area）であり、残りの４４クラスタはリザーブされている。目録情報が記録される３クラスタには同一データが記録され、それぞれ００〜０７セクタまでが定義され、残りの２４セクタはリザーブされている。ＵＴＯＣセクタ０と呼ぶ００セクタは必須であり、情報の記録開始及び終了アドレス等を目録情報として記録する。他のセクタはオプションであり、楽曲名等を目録情報として記録することができる。リザーブセクタ及び未使用セクタには、０データが記録される。
【０００５】
上記のＵＴＯＣ領域に記録された目録情報は、例えば電源の投入時、あるいはＭＤの挿入時に再生手段により再生され、ディスク再生装置の目録情報記憶部に記憶される（例えば、特許文献１参照。）。
【特許文献１】特開平８−３３１５１４号公報。
【発明の開示】
【発明が解決しようとする課題】
【０００６】
上記のように、ディスク再生装置では、電源の投入時、あるいはディスクの挿入時にＵＴＯＣ領域に記録された目録情報を再生し、目録情報記憶部に記憶するが、このＵＴＯＣ領域に記録された目録情報が読み出せない場合には、「未記録ディスク」と判断して再生をストップするようにしている。
このようにディスクが「未記録ディスク」か否かの判断を行う場合、従来はＵＴＯＣ領域のクラスタ３に記録されている目録情報を読み取り、目録情報が読み出せない場合に、挿入されているディスクが「未記録ディスク」と判断していたが、実際にはディスクにデータが書き込まれているにもかかわらず、情報読み込み時のジッタやディスクの傷、汚れ等の影響でデータエラーが多く、データが読み込めない場合に、「記録済ディスク」を「未記録ディスク」であると判断してしまう恐れがあった。
【０００７】
本発明は、上記の問題に鑑みてなされたもので、情報読み込み時のジッタやディスクの傷、汚れ等により読取りエラーが多い場合にも、ディスクが未記録か否かを確実に判断することができるディスク再生装置を提供することを目的とする。
【課題を解決するための手段】
【０００８】
上述の目的を達成するため、本発明に係るディスク再生装置（１）は、
ディスクからの情報を再生するための信号を検出する信号検出手段と、上記信号検出手段により検出された信号を処理する制御手段とを備え、上記制御手段がディスクのＵＴＯＣ領域に記録された情報を読み出すことによりディスクが未記録か否かを判別するディスク再生装置であって、
ディスクの記録有無の判断時に、上記ＵＴＯＣ領域に記録された情報を読み出せないとき、上記制御手段が情報の読取り条件を変更することを特徴とする。
【０００９】
また、本発明に係るディスク再生装置（２）は、ディスク再生装置（１）において、
上記ディスクの読取りトラックを一定線速度で走行させる線速度制御手段を備え、
上記ＵＴＯＣ領域に記録された情報を読み出せないとき、上記制御手段が情報の読取り条件として上記線速度制御手段のゲインを変更することを特徴とする。  
【００１０】
さらに、本発明に係るディスク再生装置（３）は、ディスク再生装置（１）において、
上記信号検出手段が位相同期ループ手段を備え、
上記ＵＴＯＣ領域に記録された情報を読み出せないとき、上記制御手段が情報の読取り条件として上記位相同期ループ手段のゲインを変更することを特徴とする。
【００１１】
また、本発明に係るディスク再生装置（４）は、ディスク再生装置（１）において、
情報の読取り条件を変更してもディスクのＵＴＯＣ領域に記録された情報を読み出せないとき、上記制御手段がＵＴＯＣ領域の他のクラスタに記録された情報を読むことを特徴とする。
【発明の効果】
【００１２】
本発明に係るディスク再生装置（１）〜（３）によれば、実際にはディスクにデータが書き込まれているにもかかわらず、ジッタ等の影響でデータ読取りエラーが多く、データが読めない場合でも、線速度制御手段や位相同期ループ手段のゲイン等の情報の読取り条件を変更して再度ＵＴＯＣ領域に記録された目録情報が読まれるので、「記録済ディスク」を誤って「未記録ディスク」であると判断する可能性を減少させることができる。
【００１３】
また、本発明に係るディスク再生装置（４）によれば、情報の読取り条件を変更してもディスクのＵＴＯＣ領域に記録された目録情報を読み出せないとき、ＵＴＯＣ領域の他のクラスタに記録された目録情報が読まれるので、「記録済ディスク」を誤って「未記録ディスク」であると判断する可能性をさらに減少させることができる。
【実施例】
【００１４】
以下、本発明のディスク再生装置の一実施例について、図面を用いて説明する。
図１は光ディスク再生装置の構成を示すブロック図であり、この光ディスク装置は、スピンドルモータ（Ｓ／Ｍ）１、光学ヘッド２、信号処理回路３、位相同期ループ（ＰＬＬ）回路４、Ｄ／Ａ変換回路５、コントローラ６、ＣＬＶ制御回路７、から構成されている。
【００１５】
スピンドルモータ１は情報記録媒体である光ディスク１０を回転させ、光学ヘッド２は、光ディスク１０に光を投射し、光ディスクから反射された光を検出することにより、光ディスク１０に記録された情報を再生する。この光学ヘッド２は、光ディスク１０の記録面に対して垂直に配置されており、光ディスク１０の半径方向へ走行しながら光ディスク１０の記録面に光を投射する。
【００１６】
光学ヘッド２により再生された信号は信号処理回路３とＰＬＬ回路４に入力され、信号処理回路３からのＲＦ再生信号がＤ／Ａ変換回路５によりアナログ信号に変換されて再生領域に伝達される。一方、ＰＬＬ回路４は再生信号よりチャンネルクロック（再生信号に同期したデータ読取り用クロック）を生成して信号処理回路３に入力し、信号処理回路３からの集束誤差信号とトラッキング誤差信号を含む誤差信号がコントローラ６に入力される。
【００１７】
このコントローラ６はＣＰＵ１１、ＲＯＭ１２、ＲＡＭ１３を備え、ＣＰＵ１１は光ディスク装置のハードウェア各部を制御するとともに、ＲＯＭ１２に記憶されたプログラムに基づいて各種のプログラムを実行する。ＲＯＭ１２は光ディスク装置の動作に必要な種々のプログラムを予め記憶しており、ＲＡＭ１３はＳＲＡＭ等で構成され、プログラムの実行時に発生する一時的なデータを記憶するとともに、目録情報を記憶する。
【００１８】
すなわち、コントローラ６は光ディスク再生装置の電源投入時あるいは光ディスク１０が装填された時点で、スピンドルモータ１及び光学ヘッド２を駆動し、光ディスクの最内周側に設定されているＴＯＣ領域、ＵＴＯＣ領域のデータを抽出し、ＲＡＭ１３に記憶する。そして、曲の再生を行う場合、コントローラ６はＲＡＭ１３に記憶された情報から各トラック（曲）の開始及び終了アドレスを読み込み、指定された曲の先頭番地へ光学ヘッド２を移動する。
【００１９】
また、このコントローラ６は、信号処理回路３からの誤差信号を演算処理して、その結果をＣＬＶ（一定線速度、Constant  Linear  Velocity）制御回路７に出力し、このＣＬＶ制御回路７がスピンドルモータ１を制御することにより光学ヘッド２が位置するトラックの線速度を一定に制御する。すなわち、光ディスク１０の記録面の情報の記録／再生時、光ディスク１０を回転させるスピンドルモータ１の回転速度は記録／再生トラックの位置によって変化させなければならず、ＣＬＶ制御回路７はスピンドルモータ１の回転速度を前もって計算して制御することにより、情報の記録／再生時、ディスクの各トラックが一定線速度で走行するように制御する。
【００２０】
上記のＣＬＶ制御回路７やＰＬＬ回路４のゲインを上げると、ディスク回転の変動に対して敏感に応答し、すばやく狙いの回転にあわすことができ、これらの回路のゲインを下げると、ディスク回転の変動に対する応答が鈍くなる。
例えば、ディスクに傷、汚れ等があった場合、ＣＬＶ制御回路７やＰＬＬ回路４のゲインが高すぎると、その傷に対し敏感に反応し、過剰に回転制御を行ってしまうため、読取りエラーが増加する。逆に、これらの回路のゲインが低すぎると、回転制御が充分にできないために、ジッタが多いディスクに対して読取りエラーが増加する。
【００２１】
次に、電源の投入時、あるいは光ディスクの挿入時に、光ディスクのＵＴＯＣ領域に目録情報が記録されているか否かを判別することにより、装填されている光ディスクが「記録済ディスク」か「未記録ディスク」かを判断する場合の作用について、図２のフローチャートにより説明する。
電源の投入時、あるいは光ディスクの挿入時、コントローラ６のＣＰＵ１１は図２のフローチャートに示す未記録ディスク判定プログラムを開始し、まず、ＣＰＵ１１は光学ヘッド２を光ディスク１０の内周側に移動し、ＣＬＶ制御回路７とＰＬＬ回路４のゲインを下げた状態でＵＴＯＣ領域のクラスタ３のデータを読み、目録情報が正常に読み取れたか否かを判定する（ステップ１０１）。
【００２２】
目録情報が読み取れた場合には、装填されているディスクが「記録済ディスク」であると判断し（ステップ１０２）、プログラムを終了する。この場合、ＵＴＯＣ部分に傷、汚れ等があって読みにくい状態であっても、ＣＬＶ制御回路７とＰＬＬ回路４のゲインを下げた状態でクラスタ３のデータが読まれるので、これらの傷、汚れに対する応答が鈍くなり、読取りエラーを減らすことができる。
【００２３】
ステップ１０１において、目録情報が読み取れなかった場合、ＣＰＵ１１はＣＬＶ制御回路７のゲインを増加した（ステップ１０３）後、クラスタ３のデータを読み、目録情報が正常に読み取れたか否かを判定する（ステップ１０４）。目録情報が読み取れた場合には、ＣＰＵ１１は装填されているディスクが「記録済ディスク」であると判断し（ステップ１０２）、ステップ１０４でも、目録情報が読み取れなかった場合、ＣＰＵ１１はＰＬＬ回路４のゲインを増加した（ステップ１０５）後、クラスタ３のデータを読み、目録情報が正常に読み取れたか否かを判定する（ステップ１０６）。
以上のように、ＣＬＶ制御回路７とＰＬＬ回路４のゲインを上げることにより、上記のように、回転ムラに対して敏感に応答するようになるので、もともとジッタが多いディスクの読み取りエラーを減らすことが可能となる。
【００２４】
一方、ステップ１０６においても、目録情報が読み取れなかった場合、ＣＰＵ１１はＣＬＶ制御回路７とＰＬＬ回路４のゲインをもとの小さい状態に復帰させた（ステップ１０７）後、ＵＴＯＣ領域のクラスタ４のデータを読み、目録情報が正常に読み取れたか否かを判定する（ステップ１０８）。目録情報が読み取れなかった場合、さらにＣＰＵ１１はＣＬＶ制御回路７のゲインを上げた（ステップ１０９）後、クラスタ４のデータを読み、目録情報を正常に読み取れたか否かを判定する（ステップ１１０）。
ステップ１１０でも、目録情報が読み取れなかった場合、ＣＰＵ１１はＰＬＬ回路４のゲインを上げた（ステップ１１１）後、クラスタ４のデータを読み、目録情報を正常に読み取れたか否かを判定する（ステップ１１２）。
【００２５】
そして、ステップ１１２おいても、目録情報が読み取れなかった場合、ＣＰＵ１１は、同様に、ＣＬＶ制御回路７とＰＬＬ回路４のゲインをもとの小さい状態に復帰させた状態でのＵＴＯＣ領域のクラスタ５のデータの読取り、ＣＬＶ制御回路７及びＰＬＬ回路４のゲインを上げた状態でのクラスタ５のデータの読取りを行って、目録情報が正常に読み取れたか否かを判定し（ステップ１１３〜１１８）、いずれのステップでも目録情報が読み取れなかった場合は、装填されているディスクが「未記録ディスク」と判断し（ステップ１１９）、プログラムを終了する。
【００２６】
以上のように、実際にはディスクにデータが書き込まれているにもかかわらず、傷やジッタ等の影響でデータ読取りエラーが多く、データが読めない場合でも、ＣＬＶ制御回路とＰＬＬ回路のゲインを変更して再度ＵＴＯＣ領域に記録された目録情報が読まれるので、「記録済ディスク」を誤って「未記録ディスク」であると判断する可能性を減少させることができる。
また、ＣＬＶ制御回路とＰＬＬ回路のゲインを変更してもディスクのＵＴＯＣ領域に記録された目録情報を読み出せないとき、ＵＴＯＣ領域の他のクラスタに記録された目録情報が読まれるので、「記録済ディスク」を誤って「未記録ディスク」であると判断する可能性をさらに減少させることができる。
【００２７】
上記の実施例では、初めにＣＬＶ制御回路とＰＬＬ回路のゲインを小さくしてＵＴＯＣ領域に記録された目録情報を読み、読めない場合にＣＬＶ制御回路とＰＬＬ回路のゲインを大きくして、再びＵＴＯＣ領域に記録された目録情報を読み込んだが、初めにＣＬＶ制御回路とＰＬＬ回路のゲインが大きな状態でＵＴＯＣ領域に記録された目録情報を読み、読めない場合にＣＬＶ制御回路とＰＬＬ回路のゲインを小さくして、再びＵＴＯＣ領域に記録された目録情報を読むようにすることも可能である。
【００２８】
また、上記の実施例ではＵＴＯＣ領域に記録された目録情報が読めない場合に変更する読取り条件として、ＣＬＶ制御回路とＰＬＬ回路のゲインを使用したが、他の読取り条件を変えるようにすることも可能である。
さらに、本発明のディスク再生装置は、ＭＤだけでなくＣＤ−Ｒ（コンパクトディスク−リライタブル）等の様々なディスクを再生するディスク再生装置に適用することが可能である。
【図面の簡単な説明】
【００２９】
【図１】本発明のディスク再生装置の構成を示すブロック図である。
【図２】装填されている光ディスクが「記録済ディスク」か「未記録ディスク」かを判断する場合の作用を示すフローチャートである。
【図３】ＭＤの記憶領域を示す図である。
【図４】ＵＴＯＣ領域の構成を示す図である。
【符号の説明】
【００３０】
１  スピンドルモータ（Ｓ／Ｍ）
２  光学ヘッド
３  信号処理回路
４  ＰＬＬ回路
５  Ｄ／Ａ変換回路
６  コントローラ
７  ＣＬＶ制御回路
１１  ＣＰＵ
１２  ＲＯＭ
１３  ＲＡＭ
【図１】
2005317140.tif 000003
【図２】
2005317140.tif 000004
【図３】
2005317140.tif 000005
【図４】
2005317140.tif 000006